(57)【要約】【課題】  導波管スロットアレーアンテナにおいて、端部スロットと導波管短絡面との距離を１／４波長もしくは１／２波長離さなければならないため、所定の開口径に放射導波管を収めるために、端部のスロットを省略せざるを得なく、利得低下を引き起こしていた。【解決手段】  端部スロットにおけるスロットの長さを共振長より短くし、放射インピーダンスまたは放射アドミタンスに正の虚部の値を持たせ、端部スロットから放射導波管の短絡面までの距離を従来の長さより短くすることにより、等価回路特性の虚部を打ち消す。これにより、各放射スロットとの整合のとり易さを維持したまま放射導波管を短縮することができる。【選択図】      図１
2009239858.tif 000002
【特許請求の範囲】
【請求項１】
複数の放射スロットを設けた放射導波管を、複数配列した導波管スロットアレーアンテナであって、
上記放射スロットは、等価回路が並列アドミタンスで表現され、放射導波管の管軸に沿った方向に放射スロットの長手方向を揃え、放射スロット中心を導波管幅広面において管軸に合わせて配置された並列スロットで構成され、
上記放射スロットの長さが共振長よりも短く、コンダクタンスＧについて放射アドミタンスをＹ＝Ｇ＋ｊＢとすると、端部スロットから短絡面までの距離Ｓ、伝搬定数βについて、サセプタンスがＢ＝ｃｏｔ（βＳ）に設定されたことを特徴とする導波管スロットアレーアンテナ。
【請求項２】
複数の放射スロットを設けた放射導波管を、複数配列した導波管スロットアレーアンテナであって、
上記放射スロットは、等価回路が直列インピーダンスで表現され、放射導波管の管軸に直交する向きに放射スロットの長手方向を揃えた直列スロットで構成され、
上記放射スロットの長さが共振長よりも短く、インダクタンスＲについてインピーダンスをＺ＝Ｒ＋ｊＸとすると、端部スロットから短絡面までの距離Ｓ、伝搬定数βについて、リアクタンスがＸ＝−ｔａｎ（βＳ）に設定されたことを特徴とする導波管スロットアレーアンテナ。
【発明の詳細な説明】
【技術分野】
【０００１】
この発明は、導波管の管壁に放射スロットを複数配列して電波を送受信する導波管スロットアレーアンテナに関するものである。
【背景技術】
【０００２】
通常、導波管スロットアンテナは放射導波管の管壁に細長いスロットを切りそのスロットから電波を放射する。導波管スロットアレーアンテナは一本の放射導波管に複数のスロットを設け、更に放射導波管を複数配列している。導波管は低損失であるため高利得なアンテナが得られる。
【０００３】
一本の放射導波管の端部は放射スロットの等価回路特性によりスロット中心からある距離のところで導波管を短絡し、導波管内部に定在波を発生して、定在波の腹のところにスロットを配置して効率よく放射させている。また、各放射スロットはその等価回路（インピーダンス、または、アドミタンス）を純抵抗あるいは純コンダクタンスの共振状態として用いている。この動作については、非特許文献１に詳述されている。
【０００４】
【非特許文献１】RICHARD C. JOHNSON "ANTENNA ENGINEERING HANDBOOK THIRD EDITION" PP.9-2〜9-25
【０００５】
放射スロットとしては、いろいろな形状が非特許文献１に示されており、例えば導波管の管軸に沿った方向にスロットの長手方向を揃え、スロット中心を導波管幅広面において導波管幅広面の管軸からオフセットさせて配置したシャントスロットが一般的である。シャントスロットの等価回路は並列アドミタンスとなるので、以下並列スロットと呼ぶ。並列スロットを用いて構成する導波管は、端部スロットから短絡面までの距離を１／４管内波長として、端部スロットを仮想的な開放端に配置する特徴を有する。
【０００６】
また、シリーズスロットは、導波管の管軸に垂直の方向にスロットの長手方向を揃え、スロット中心を導波管幅広面の管軸に合わせ配置する。シリーズスロットの等価回路は直列インピーダンスとなるので、以下直列スロットと呼ぶ。直列スロットを用いて構成する導波管は、端部スロットから短絡面までの距離を１／２管内波長として、端部スロットを仮想的な短絡端に配置する特徴を有する。
【発明の開示】
【発明が解決しようとする課題】
【０００７】
円形開口の導波管スロットアレーアンテナの場合、所定の開口径からはみ出さないように導波管の短絡面の位置を定める必要がある。従い、放射スロットは所定の開口径の内側に配列することができるが、短絡面が所定の開口径からはみ出してしまうことを避けるために、結果として端部の放射スロットの数を減らさざるを得なかった。このため、放射スロットの数が減り利得が低下するという問題があった。
【０００８】
この端部における放射スロットの素子数の減少による問題は、並列スロットを用いた場合でも、直列スロットを用いた場合でも同様に生ずる。特に短絡面が端部素子から１／２管内波長離れる直列スロットを用いた場合には、より顕著に利得低下が発生する。
【０００９】
この発明は係る課題を解決するためになされたものであり、円形開口の導波管スロットアレーアンテナにおいて、端部放射スロットの素子数を減らさないで、利得低下を防ぐことを目的とする。
【課題を解決するための手段】
【００１０】
この発明による導波管スロットアレーアンテナは、複数の放射スロットを設けた放射導波管を、複数配列した導波管スロットアレーアンテナであって、
上記放射スロットは、等価回路が並列アドミタンスで表現され、放射導波管の管軸に沿った方向に放射スロットの長手方向を揃え、放射スロット中心を導波管幅広面において管軸に合わせて配置された並列スロットで構成され、
上記放射スロットの長さが共振長よりも短く、コンダクタンスＧについて放射アドミタンスをＹ＝Ｇ＋ｊＢとすると、端部スロットから短絡面までの距離Ｓ、伝搬定数βについて、サセプタンスがＢ＝ｃｏｔ（βＳ）に設定されたものである。
【００１１】
また、複数の放射スロットを設けた放射導波管を、複数配列した導波管スロットアレーアンテナであって、
上記放射スロットは、等価回路が直列インピーダンスで表現され、放射導波管の管軸に直交する向きに放射スロットの長手方向を揃えた直列スロットで構成され、
上記放射スロットの長さが共振長よりも短く、インダクタンスＲについてインピーダンスをＺ＝Ｒ＋ｊＸとすると、端部スロットから短絡面までの距離Ｓ、伝搬定数βについて、リアクタンスがＸ＝−ｔａｎ（βＳ）に設定されたものである。
【発明の効果】
【００１２】
この発明によれば、スロットアレーアンテナの整合の取り易さを維持したまま、放射導波管の端部を円形開口径端部から突出させないように、放射導波管の端部長さを短縮することが可能となる。
【発明を実施するための最良の形態】
【００１３】
実施の形態１．
以下、この発明に係る実施の形態１による導波管スロットアレーアンテナについて説明する。図１は、並列スロットを用いた導波管スロットアレーアンテナの構成を示す図であり、（ａ）は実施の形態１による導波管スロットアレーアンテナの適用例、（ｂ）は従来の導波管スロットアレーアンテナの適用例を示す。
【００１４】
図において、この実施の形態１による導波管スロットアレーアンテナは、複数個の並列スロット１が配列された放射導波管２により構成される。放射導波管２は複数個配列して導波管スロットアレーアンテナを構成している。図中、放射導波管における端部の並列スロットを符号４で示している。また、符号３はアレーアンテナの所定の開口径を表し、符号５は導波管端部を金属壁で塞いだ短絡面を示す。各放射導波管２は、所定の開口径３を超えないように長さと短絡面５の位置を定めている。
【００１５】
並列スロット１および端部スロット４は、放射導波管２の管軸に沿った方向に放射スロットの長手方向を揃え、スロット中心を導波管幅広面において導波管幅広面の管軸からオフセットさせて配置したシャントスロットを構成しており、シャントスロットの等価回路は並列アドミタンスとなっている。
この実施の形態１による端部スロット４から短絡面５までの距離は１／４管内波長よりも若干短く設定されており、これにより短絡面５の位置が所定の開口径３の内側に納まっている。
【００１６】
図２は図１（ａ）における放射導波管の端部の状態を示した図である。図に示すように、端部スロット４から短絡面５までの距離Ｓは１／４管内波長よりも短くなっている。また、端部スロット４の長さは共振時の長さよりも若干短くしている。
【００１７】
次に動作について説明する。
図３は並列スロットのアドミタンス特性を示すものであり、（ａ）はスロット長が共振長よりも若干短いときの並列スロットのアドミタンス特性を示し、（ｂ）は非特許文献１に示すような従来の並列スロットのアドミタンス特性の一例を示すものである。
【００１８】
図３（ａ）において、並列スロット１の放射アドミタンスはＹ＝Ｇ＋ｊＢと表され、特に虚部が正の値Ｂとなっていることを特徴とする。放射導波管２の整合を取り易くするために、このＢ（サセプタンス）成分を消去する。
ここで、端部スロット４から短絡面５をみた等価回路の式はＹｉｎ＝−ｊｃｏｔ（βＳ）と表せる。ただし、βは伝搬定数であり、β＝（２π／管内波長）で与えられる。Ｙｉｎは虚部成分のみでありＢ（サセプタンス）となる。
また、Ｙｉｎの式はＢ＝−ｊｃｏｔ（βＳ）と表せる。
このとき、Ｙ＝Ｇ＋ｊＢ−（ｊＢ）＝Ｇとし、サセプタンス成分を消去することで、実部のみの純コンダクタンスを得ることができる。
よって、端部スロット４から短絡面５までの距離ＳはＢ＝ｃｏｔ（βＳ）の関係となる。
【００１９】
これにより、従来の並列スロットと同様に整合のとり易さが維持されたまま、放射導波管２の長さを短縮する効果を得ることが可能となる。
例えば、端部スロット４の虚部Ｂ＝０．１のときＳ＝０．２３×管内波長となる。従来の端部スロット４の虚部Ｂを０とする場合はＳ＝０．２５×管内波長であったから、８％の短縮効果が得られる。
図１（ａ）で説明すれば、図中の符号６で示す分だけ、短絡面５の位置が短縮されることとなり、短絡面５を所定の開口径３の内側に配置することが可能となる。このため、開口のエッジ付近まで並列スロットを配列することができ、アンテナ利得が向上する。
【００２０】
これに対し、図１（ｂ）に示すように従来の並列スロットを適用した場合は、端部スロットから短絡面５までの長さが１／４管内波長と長くなるので、所定の開口径３の内側に放射導波管２の短絡面５を収めようとすると、端部スロットを配置することができなくなる部分が生じる。
【００２１】
次に、このこの実施の形態１による短絡面５の短縮効果が並列スロットの素子数にどの程度寄与しているのかを示す。
この実施の形態１の導波管スロットアレーアンテナを適用すれば、開口径φ１６０における素子数が１４２素子（従来は１３８素子）となり、利得に換算すると０．２ｄＢ程度の改善に繋がる。
なお、並列スロットの形状は導波管の幅狭面に設けたスロット等の等価回路が並列アドミタンスで表される形状でも同様の効果が得られる。  
【００２２】
参考までに、図３（ｂ）に非特許文献１による従来の並列スロット１のアドミタンス特性の一例を示す。
この例では、放射導波管２の整合をとり易くするために、アドミタンスＹが実部（コンダクタンスＧ）のみとなるように虚部（サセプタンスＢ）がゼロとなる共振状態となるように並列スロット１の長手方向の長さを定めている。ここで、図のアドミタンス特性は放射導波管２の特性アドミタンスで規格化した値である。
【００２３】
なお、従来の導波管スロットアレーアンテナでは、端部スロット４とその手前の並列スロット１の間に１／４管内波長整合器を設ける必要があるが、この整合器は製造上非常に難しく、また、寸法誤差に弱い特徴を有している。
また、従来の導波管スロットアレーアンテナでは、各放射スロットを共振状態で用いているため、アレーアンテナの位相開口分布は均一分布となる。均一位相分布は利得が高くなる利点がある。アンテナ放射パターンをビーム成形したい場合は、位相分布をつけることが通常なされるが、従来の導波管スロットアレーアンテナでは、放射位相を制御することが原理的に困難となっていた。
【００２４】
しかし、この実施の形態１による導波管スロットアレーアンテナは、図２に示すＳとして適切な値を選ぶことにより、短絡面５からの反射波の位相を変化させ、端部スロット４の放射位相を変えることができる。
これにより、放射導波管２の両端に配置した端部スロット４の放射位相を変えることができるので、アレーアンテナの位相開口分布を制御することができ、アンテナ放射パターンを制御することも可能となる。
【００２５】
実施の形態２．
図４は、直列スロットを用いた導波管スロットアレーアンテナの構成を示す図であり、（ａ）は実施の形態２による導波管スロットアレーアンテナの適用例、（ｂ）は従来の導波管スロットアレーアンテナの適用例を示す。
【００２６】
図において、この実施の形態１による導波管スロットアレーアンテナは、複数個の直列スロット７が配列された放射導波管２により構成される。放射導波管２は複数個配列して導波管スロットアレーアンテナを構成している。図中、放射導波管における端部の直列スロットを符号１０で示している。また、符号３はアレーアンテナの所定の開口径を表し、符号５は導波管端部を金属壁で塞いだ短絡面を示す。各放射導波管２は、所定の開口径３を超えないように長さと短絡面５の位置を定めている。
【００２７】
直列スロット７および端部スロット１０は、放射導波管２の放射導波管２の管軸に直交する向きに放射スロットの長手方向を揃えている。放射スロット中心を導波管幅広面の管軸に合わせ配置しており、シリーズスロットの等価回路は直列インピーダンスとなる直列スロットである。
【００２８】
図５は図４（ａ）における放射導波管２の端部の状態を示した図であり、端部スロット１０から短絡面５までの距離Ｓは１／２管内波長よりも若干短くなっている。また、端部スロット１０の長さは共振時の長さよりも若干短くしたことを特徴とする。これにより、放射導波管２の短絡面５の位置が所定の開口径３の内側に収まっている。
【００２９】
次に動作について説明する。
図６（ａ）はスロット長が共振長よりも若干短いときの直列スロットのインピーダンス特性を示したものである。
図において、直列スロットの放射インピーダンスはＺ＝Ｒ＋ｊＸと表され、特に虚部が正の値Ｘとなっていることを特徴とする。
ここで、整合を取り易くするために、このＸ（リアクタンス）成分を消去する。
端部スロット１０から短絡面５をみた等価回路の式はＺｉｎ＝ｊｔａｎ（βＳ）と表せる。ただし、βは伝搬定数であり、β＝（２π／管内波長）で与えられる。
Ｚｉｎは虚部成分のみでありＸ（リアクタンス）となる。また、Ｚｉｎの式はＸ＝ｔａｎ（βＳ）と表せる。
そこで、Ｚ＝Ｒ＋ｊＸ−（ｊＸ）＝Ｒとし、リアクタンス成分を消去し実部のみの純インダクタンスにする。
よって、端部スロット４から短絡面５までの距離ＳはＸ＝−ｔａｎ（βＳ）の関係となる。
【００３０】
これにより、従来の導波管スロットアレーアンテナにおける整合の取り易さが維持されたまま、放射導波管２の長さを短縮する効果を得ることができる。
例えば、端部スロット１０の虚部Ｘ＝０．１のときＳ＝０．４８×管内波長となる。従来の端部スロット１０の虚部Ｘを０とする場合はＳ＝０．５０×管内波長であったから、４％の短縮効果が得られる。
図４（ａ）で説明すれば、図中の符号６で示す分だけ、短絡面５の位置が短縮されることとなり、短絡面５を所定の開口径３の内側に配置することが可能となる。このため、開口のエッジ付近まで直列スロットを配列することができ、アンテナ利得が向上する。
【００３１】
これに対し、図４（ｂ）に示すように従来の直列スロットを適用した場合は、端部スロットから短絡面５までの長さが１／２管内波長と長くなるので、所定の開口径３の内側に放射導波管２の短絡面５を収めようとすると、端部スロットを配置することができなくなる部分が生じる。
【００３２】
次に、この実施の形態２による短絡面５の短縮効果が並列スロットの素子数にどの程度寄与しているのかを示す。
この実施の形態２の導波管スロットアレーアンテナを適用すれば、開口径φ１６０における素子数が１４２素子（従来は１３４素子）となり、利得に換算すると０．４ｄＢ程度の改善に繋がる。
なお、直列スロットの形状は十字スロットや斜めスロット等の等価回路が直列インピーダンスで表される形状でも同様の効果が得られる。  
【００３３】
参考までに、図６（ｂ）に非特許文献１による従来の直列スロットのインピーダンス特性の一例を示す。
この例では、放射導波管２の整合をとり易くするために、インピーダンスＺが実部（インダクタンスＲ）のみとなるように虚部（リアクタンスＸ）がゼロとなる共振状態となるようにスロットの長さを定めている。ここで、図のインピーダンス特性は放射導波管２の特性インピーダンスで規格化した値である。
【図面の簡単な説明】
【００３４】
【図１】この発明に係る実施の形態１による並列スロットの導波管スロットアレーアンテナの構成を示す図である。
【図２】この発明に係る実施の形態１よる並列スロットの端部スロット付近の詳細図である。
【図３】この発明に係る実施の形態１による並列スロットの端部スロットで用いた放射アドミタンス特性を示す図である。
【図４】この発明に係る実施の形態２による直列スロットの導波管スロットアレーアンテナの構成を示す図である。
【図５】この発明に係る実施の形態２による直列スロットの端部スロット付近の詳細図である。
【図６】この発明に係る実施の形態２による直列スロットの端部スロットで用いた放射インピーダンス特性を示す図である。
【符号の説明】
【００３５】
１  並列スロット、２  放射導波管、４  端部スロット、５  短絡面、７  直列スロット、１０  端部スロット。
【図１】
2009239858.tif 000003
【図２】
2009239858.tif 000004
【図３】
2009239858.tif 000005
【図４】
2009239858.tif 000006
【図５】
2009239858.tif 000007
【図６】
2009239858.tif 000008